(57)【要約】【課題】容器の規則的な収縮とガスバリア性の確保とを両立させることが可能な容器を提供する。【解決手段】多重容器１は、内容器２０と、内容器２０を内包する外容器１０とが剥離可能に積層されたボトル形状の容器である。内容器２０の胴部５には、周方向に幅を有して軸方向に延びる薄肉部２２が、周方向に亘って間隔を空けて複数箇所に設けられており、薄肉部２２の幅を周方向に亘って合計した値は、内容器２０の胴部５の周長Ｃの４％以上２５％以下である。【選択図】図２
2020179910.tif 000002
【特許請求の範囲】
【請求項１】
ボトル形状を成す容器であって、
前記容器の胴部には、周方向に幅を有して軸方向に延びる薄肉部が、前記周方向に沿って間隔を空けて複数箇所に設けられ、
前記薄肉部の前記幅を前記周方向に亘って合計した値は、前記胴部の周長の４％以上２５％以下である、
容器。
【請求項２】
前記胴部の横断面において、前記薄肉部の最小厚さが、前記胴部における非薄肉部の厚さの３０％以上７０％以下である、
請求項１に記載の容器。
【請求項３】
前記容器は、外容器と剥離可能に積層されて前記外容器に内包され、内容物の減少に伴って収縮する内容器であり、
前記胴部は、前記内容器の胴部であり、
前記薄肉部は、前記内容器の前記胴部に設けられ、前記内容器の前記胴部における非薄肉部の内面同士を接近させるように折れ曲がることによって、前記内容器の収縮態様を規制する、
請求項１又は２に記載の容器。
【請求項４】
前記内容器及び前記外容器は、前記内容器に対応するプリフォームである内プリフォームと、前記外容器に対応するプリフォームである外プリフォームとを重ねた状態で、これらを同時に二軸延伸ブロー成形することによって製造される多重容器を構成し、
前記薄肉部は、前記内容器の前記胴部の内面を窪ませた凹形状に形成される、
請求項３に記載の容器。
【請求項５】
ボトル形状を成す容器を二軸延伸ブロー成形により製造するためのプリフォームであって、
前記プリフォームの胴部には、周方向に幅を有して軸方向に延びる薄肉部が、前記周方向に沿って間隔を空けて複数箇所に設けられており、
前記薄肉部の前記幅を前記周方向に亘って合計した値は、前記胴部の内面における周長の４％以上２５％以下である、
プリフォーム。
【請求項６】
前記プリフォームの前記胴部の横断面において、前記薄肉部の最小厚さは、前記胴部における非薄肉部の厚さの３０％以上７０％以下である、
請求項５に記載のプリフォーム。
【請求項７】
前記容器は、外容器と剥離可能に積層されて前記外容器に内包され、内容物の減少に伴って収縮する内容器であり、
前記プリフォームは、前記内容器に対応するプリフォームである内プリフォームであり、
前記胴部は、前記内プリフォームの胴部であり、
前記薄肉部は、前記内プリフォームの前記胴部に設けられる、
請求項５又は６に記載のプリフォーム。
【請求項８】
前記内容器及び前記外容器は、前記内プリフォームと、前記外容器に対応するプリフォームである外プリフォームとを重ねた状態で、これらを同時に二軸延伸ブロー成形することによって製造される多重容器を構成し、
前記薄肉部は、前記内プリフォームの前記胴部の内面を窪ませた凹形状に形成される、
請求項７に記載のプリフォーム。
【発明の詳細な説明】
【技術分野】
【０００１】
本発明は、容器及びそのプリフォームに関する。
【背景技術】
【０００２】
液体調味料又は液体化粧品等の内容物を収容し、その鮮度を保持する容器として、デラミボトル、エアレスボトル又は積層剥離容器等と称される多重容器が知られている（例えば、特許文献１）。
【０００３】
特許文献１には、内容器の底部から外側に突出する突出部から張り出した環状爪部が、外容器の底部の貫通孔に係止することによって、内容器の底部の浮き上がりを抑制し、内容器の収縮態様を規制する多重容器が記載されている。また、特許文献１には、外容器の貫通孔の周壁及び内容器の突出部の外周壁の少なくとも一方に、外容器と内容器との相互間に外気を導入する溝部を設けることが記載されている。
【先行技術文献】
【特許文献】
【０００４】
【特許文献１】特開２０１４−６９８７５号公報
【発明の概要】
【発明が解決しようとする課題】
【０００５】
特許文献１に記載の多重容器は、内容器の底部の浮き上がりを抑制することはできるが、内容器の大部分を占める胴部が不規則に収縮してしまう可能性が有る。特許文献１に記載の内容器を不規則に収縮させないためには、内容器が変形し易いよう内容器を薄肉化することも考えられる。しかしながら、内容物を収容する内容器を薄肉化すると、内容器がガスバリア性を確保できない可能性が有る。
【０００６】
本発明は、上述の事情に鑑みてなされたものであり、上述のような問題点を解決することを課題の一例とする。すなわち、本発明の課題の一例は、容器の規則的な収縮とガスバリア性の確保とを両立させることが可能な容器を提供することである。
【課題を解決するための手段】
【０００７】
本発明は、ボトル形状を成す容器であって、前記容器の胴部には、周方向に幅を有して軸方向に延びる薄肉部が、前記周方向に沿って間隔を空けて複数箇所に設けられ、前記薄肉部の前記幅を前記周方向に亘って合計した値は、前記胴部の周長の４％以上２５％以下である。
【０００８】
好適には、前記胴部の横断面において、前記薄肉部の最小厚さが、前記胴部における非薄肉部の厚さの３０％以上７０％以下である。
【０００９】
好適には、前記容器は、外容器と剥離可能に積層されて前記外容器に内包され、内容物の減少に伴って収縮する内容器であり、前記胴部は、前記内容器の胴部であり、前記薄肉部は、前記内容器の前記胴部に設けられ、前記内容器の前記胴部における非薄肉部の内面同士を接近させるように折れ曲がることによって、前記内容器の収縮態様を規制する。
【００１０】
好適には、前記内容器及び前記外容器は、前記内容器に対応するプリフォームである内プリフォームと、前記外容器に対応するプリフォームである外プリフォームとを重ねた状態で、これらを同時に二軸延伸ブロー成形することによって製造される多重容器を構成し、前記薄肉部は、前記内容器の前記胴部の内面を窪ませた凹形状に形成される。
【００１１】
また、本発明は、ボトル形状を成す容器を二軸延伸ブロー成形により製造するためのプリフォームであって、前記プリフォームの胴部には、周方向に幅を有して軸方向に延びる薄肉部が、前記周方向に沿って間隔を空けて複数箇所に設けられており、前記薄肉部の前記幅を前記周方向に亘って合計した値は、前記胴部の内面における周長の４％以上２５％以下である。
【００１２】
好適には、前記プリフォームの前記胴部の横断面において、前記薄肉部の最小厚さは、前記プリフォームの前記胴部における非薄肉部の厚さの３０％以上７０％以下である。
【００１３】
好適には、前記容器は、外容器と剥離可能に積層されて前記外容器に内包され、内容物の減少に伴って収縮する内容器であり、前記プリフォームは、前記内容器に対応するプリフォームである内プリフォームであり、前記胴部は、前記内プリフォームの胴部であり、前記薄肉部は、前記内プリフォームの前記胴部に設けられる。
【００１４】
好適には、前記内容器及び前記外容器は、前記内プリフォームと、前記外容器に対応するプリフォームである外プリフォームとを重ねた状態で、これらを同時に二軸延伸ブロー成形することによって製造される多重容器を構成し、前記薄肉部は、前記内プリフォームの前記胴部の内面を窪ませた凹形状に形成される。
【発明の効果】
【００１５】
本発明によれば、容器の規則的な収縮とガスバリア性の確保とを両立させることが可能な容器を提供することができる。
【図面の簡単な説明】
【００１６】
【図１】本実施形態に係る多重容器の縦断面を模式的に示す図である。
【図２】図１に示されたＩＩ−ＩＩ線を含む平面で切断された多重容器の横断面を模式的に示す図である。
【図３】図２に示された内容器の収縮態様を説明するための図である。
【図４】図１に示された多重容器を製造するためのプリフォームの縦断面を模式的に示す図である。
【図５】図４に示されたＶ−Ｖ線を含む平面で切断されたプリフォームの横断面を模式的に示す図である。
【発明を実施するための形態】
【００１７】
本発明は、熱可塑性樹脂製のプリフォームを二軸延伸ブロー成形することにより製造される容器、及び、その容器を製造するためのプリフォームに対して広く適用可能である。本実施形態では、多重構造を有する容器及びそのプリフォームに対して本発明を適用した場合を例に挙げて説明する。
【００１８】
以下、本発明の実施形態について、図面を参照しながら説明する。以下に説明される実施形態は、本発明の幾つかの例を示すものであって、本発明の内容を限定するものではない。また、実施形態で説明される構成及び動作の全てが本発明の構成及び動作として必須であるとは限らない。
【００１９】
本実施形態では、ボトル形状を成す多重容器１の中心軸Ｚに沿った方向を「軸方向」とも称し、多重容器１の中心軸Ｚに直交する方向を「径方向」とも称し、多重容器１の中心軸Ｚに直交する平面上において中心軸Ｚに対して周回する方向を「周方向」とも称する。また、本実施形態では、多重容器１の口部３から底部６へ向かう軸方向を「下方」とも称し、多重容器１の底部６から口部３へ向かう軸方向を「上方」とも称する。また、本実施形態では、多重容器１の中心軸Ｚに沿った平面で多重容器１を切断した断面を「縦断面」とも称し、多重容器１の中心軸Ｚに直交する平面で多重容器１を切断した断面を「横断面」とも称する。横断面は、「平断面」とも称される。プリフォーム１００及び２００についても同様である。
【００２０】
［多重容器の構成］
図１は、本実施形態に係る多重容器１の縦断面を模式的に示す図である。図２は、図１に示されたＩＩ−ＩＩ線を含む平面で切断された多重容器１の横断面を模式的に示す図である。図３は、図２に示された内容器２０の収縮態様を説明するための図である。なお、図１の二点鎖線は、外容器１０の内面と内容器２０の外面とが剥離して、内容器２０が収縮した状態を示している。
【００２１】
多重容器１は、ボトル形状を成す容器である。多重容器１は、液体調味料、液体化粧品又は飲料等の内容物を収容し、その鮮度を保持する鮮度保持ボトルである。
【００２２】
多重容器１は、熱可塑性樹脂製のボトルであり、ブロー成形によって製造される。好適には、多重容器１は、射出成形等によって試験管形状のような有底筒状に成形されたプリフォームを、二軸延伸ブロー成形することにより製造される。多重容器１の成形材料としては、ポリオレフィン系樹脂、エチレン−ビニル系共重合体、スチレン系樹脂、ビニル系樹脂、ポリアミド系樹脂、ポリエステル系樹脂、ポリカーボネート系樹脂、ポリフエニレンオキサイド樹脂、又は、生分解性樹脂等が挙げられる。好適には、多重容器１の成形材料としては、ポリオレフィン系樹脂、又は、ポリエステル系樹脂が挙げられる。より好適には、多重容器１の成形材料としては、ポリエステル系樹脂が挙げられる。このポリエステル系樹脂としては、例えば、ポリエチレンテレフタレート、ポリブチレンテレフタレート、ポリエチレンナフタレート、ポリエチレンフラノエート、及び、これらの共重合ポリエステル等の樹脂が挙げられる。特に好適には、多重容器１の成形材料は、ポリエチレンテレフタレート樹脂である。
【００２３】
多重容器１は、図１に示されるように、多重容器１の一端部であり内容物の注出口２１を有する口部３と、多重容器１の他端部であり接地部を有する底部６とを備える。更に、多重容器１は、径方向外方に広がりながら口部３から下方へ延びる肩部４と、肩部４から下方に延びて底部６に連なる胴部５とを備える。
【００２４】
多重容器１は、多重容器１の外郭を構成すると共に内容器２０を内包するボトル形状の外容器１０と、内容物を収容すると共に外容器１０の内面に沿った形状を有する内容器２０と、外容器１０と内容器２０との間に外気を導入可能な外気導入孔１１とを備える。多重容器１は、外容器１０の内面と内容器２０の外面とが剥離可能に積層された多重構造を有する。
【００２５】
外容器１０は、底部６が接地して自立可能に形成される。外容器１０の肩部４及び胴部５は、スクイズ操作により押圧されると内方に撓んで変形し、押圧が解除されると押圧前の原形に復元するように形成される。
【００２６】
内容器２０は、内容物を収容する収容空間Ｓ及び注出口２１を有し、内容物の減少に伴って収縮可能に形成される。内容器２０の肩部４及び胴部５は、内容物の減少に伴って収縮するよう、外容器１０よりも薄い肉厚を有するように形成される。
【００２７】
内容器２０は、次のような複数の手法の何れか、又は、それらの手法の組み合わせによって、内容物に対するガスバリア性が向上するように構成される。内容器２０のガスバリア性を向上させる手法としては、内容器２０の成形材料に酸素吸収剤を添加する手法、酸化珪素又はダイレクトライクカーボン等を内容器２０の内面に蒸着させて被膜を形成する手法、及び、内容器２０に対応するプリフォームの表面をバリアコーティングする手法等が挙げられる。加えて、内容器２０のガスバリア性を向上させる手法としては、内容器２０の成形材料にガスバリア性を有するバリア性樹脂をブレンドする手法、及び、内容器２０の成形材料の樹脂層とバリア性の樹脂層とを積層させて内容器２０に対応するプリフォームを多層構造とする手法が挙げられる。このバリア性樹脂は、例えば、ナイロンＭＸＤ６（ポリメタキシレンアジバミド）等である。
【００２８】
外気導入孔１１は、図１に示されるように、外容器１０の口部３に設けられ、空隙Ａと連通する。空隙Ａは、外容器１０の内面と内容器２０の外面とが剥離することによって、外容器１０の肩部４から底部６と、内容器２０の肩部４から底部６との間に形成される空間である。なお、外気導入孔１１は、外容器１０の口部３と内容器２０の口部３とが固定される部分にスリットとして設けられてよい。
【００２９】
多重容器１は、その口部３に対して、逆止弁付きのキャップが装着される。多重容器１では、外容器１０がスクイズ操作により押圧されると、内容物が注出されて内容器２０が収縮する。外容器１０の押圧が解除されると、外容器１０が押圧前の原形に復元する一方、外気導入孔１１から空隙Ａへの外気導入及び逆止弁の作用によって、内容器２０の収縮状態が維持される。それにより、多重容器１では、内容物の減少に伴って内容器２０の収縮が進行すると共に、注出口２１からの外気流入が抑制されるため、内容物の酸化を抑制しその鮮度を保持することができる。
【００３０】
多重容器では、内容物の減少に伴って内容器が収縮するが、内容器が不規則に収縮すると、収容空間から注出口への内容物の流路が確保されず、内容物の注出が妨げられる可能性が有る。それにより、多重容器では、内容物の収容量が少なくなった使用終盤段階において、内容物を注出し切れず、残留させてしまう可能性が有る。
【００３１】
そこで、多重容器１には、図２に示されるように、内容器２０が規則的に収縮するよう、内容器２０の収縮態様を規制するための薄肉部２２が設けられる。薄肉部２２は、内容器２０の胴部５に設けられ、その肉厚が、非薄肉部２３よりも薄い部分である。非薄肉部２３は、内容器２０の胴部５において、薄肉部２２が設けられていない他の部分である。
【００３２】
薄肉部２２は、周方向に幅を有して軸方向に延びるように設けられる。具体的には、薄肉部２２は、内容器２０の胴部５において、周方向に幅を有し、軸方向に沿って延びる帯状に形成される。薄肉部２２は、周方向に亘って間隔を空けて複数箇所に設けられる。すなわち、薄肉部２２及び非薄肉部２３は、周方向において交互に配置される。薄肉部２２は、例えば、２〜１０箇所に設けられる。好適には、薄肉部２２は、４〜６箇所に設けられる。複数の薄肉部２２は、それぞれの中心軸Ｚまでの距離が略同一となるように設けられると好適である。複数の薄肉部２２は、内容器２０の胴部５の横断面において、中心軸Ｚを対称中心として点対称となるように設けられると好適である。
【００３３】
薄肉部２２は、非薄肉部２３よりも薄いため、非薄肉部２３よりも折れ曲がり易い。このため、内容器２０が収縮する際、内容器２０を径方向内方へ変形させる力が内容器２０の外面に加わると、薄肉部２２は、非薄肉部２３よりも先に変形して折れ曲がる。このとき、薄肉部２２は、薄肉部２２を境に隣接する２つの非薄肉部２３の内面同士を周方向において接近させるように折れ曲がり、収縮した内容器２０の稜線となる。その後、図３に示されるように、内容器２０の収縮が進行すると、薄肉部２２は、軸方向に延びて非薄肉部２３の周方向端部を支持する支柱のように働き、非薄肉部２３は、径方向内方へ撓むように変形する。このように、薄肉部２２は、非薄肉部２３との肉厚差によって、内容器２０の収縮変形の起点となり、内容器２０を規則的に収縮させることから、内容器２０の収縮態様を規制することができる。
【００３４】
薄肉部２２は、内容器２０の胴部５の内面を径方向外方に窪ませた凹形状に形成される。内容器２０の胴部５に肉厚差を設ける手段としては、内容器２０の胴部５に対して、その外面を径方向外方に突出させた凸形状の厚肉部を設けることも考えられる。しかしながら、厚肉部は、その肉厚が他より厚いことから変形し難い部分であるため、内容器２０は、厚肉部が設けられていない胴部５の大部分を占める非厚肉部から先に不規則に収縮してしまう。よって、厚肉部は、内容器２０の収縮態様を規制する手段としては機能し難い。
【００３５】
ところで、多重容器１において、外容器１０と内容器２０との間の空隙Ａは、外気導入孔１１から導入された外気で満たされる。このため、内容器２０の外面は、空隙Ａに導入された外気に含まれる酸素に曝される。空隙Ａに存在する酸素は、肉厚が薄い薄肉部２２の内部の方が非薄肉部２３の内部よりも拡散し易いため、薄肉部２２を選択的に透過して内容器２０の内部へ到達し易い傾向にある。このため、内容器の薄肉部の寸法が大き過ぎると、空隙に存在する酸素が内容器の内部へ透過し易くなり、内容器のガスバリア性を損なう可能性が有る。
【００３６】
そこで、多重容器１では、内容器２０がガスバリア性を確保しつつ規則的に収縮するように、内容器２０の薄肉部２２の寸法を決定する。具体的には、多重容器１では、薄肉部２２の周方向寸法である薄肉部２２の幅、及び、薄肉部２２の径方向寸法である薄肉部２２の厚さが、内容器２０がガスバリア性を確保しつつ規則的に収縮するような寸法に決定される。
【００３７】
内容器２０における１つの薄肉部２２の幅をＷａとし、１つの薄肉部２２の幅Ｗａを周方向に亘って合計した値をＸとし、内容器２０の胴部５の周長をＣとする。Ｘは、周方向に亘って内容器２０の胴部５の複数箇所に設けられた全ての薄肉部２２の幅Ｗａの合計値である。この場合、多重容器１では、全ての薄肉部２２の幅Ｗａの合計値Ｘが、内容器２０の胴部５の周長Ｃの４％以上２５％以下となるように、薄肉部２２の幅寸法が決定される。好適には、多重容器１では、１つの薄肉部２２の幅Ｗａが、内容器２０の胴部５の周長Ｃの１％以上６％以下となるように、薄肉部２２の幅寸法が決定される。
【００３８】
薄肉部２２の幅Ｗａの合計値Ｘが、内容器２０の胴部５の周長Ｃの４％未満であると、薄肉部２２が非薄肉部２３より先に折れ易くはならず、内容器２０の収縮変形の起点となり難いため、内容器２０が規則的に収縮し難くなる。一方、薄肉部２２の幅Ｗａの合計値Ｘが、内容器２０の胴部５の周長Ｃの２５％を超えると、空隙Ａに存在する酸素が薄肉部２２を選択的に透過し易くなり、内容器２０がガスバリア性を確保し難くなる。
【００３９】
内容器２０の胴部５の横断面において、薄肉部２２の最小厚さをＴａとし、非薄肉部２３の厚さをＴｂとする。この場合、多重容器１では、薄肉部２２の最小厚さＴａが、非薄肉部２３の厚さＴｂの３０％以上７０％以下となるように、薄肉部２２の厚さ寸法が決定される。
【００４０】
薄肉部２２の最小厚さＴａが、非薄肉部２３の厚さＴｂの３０％未満であると、空隙Ａに存在する酸素が薄肉部２２を選択的に透過し易くなり、内容器２０がガスバリア性を確保し難くなる。一方、薄肉部２２の最小厚さＴａが、非薄肉部２３の厚さＴｂの７０％を超えると、薄肉部２２と非薄肉部２３との肉厚差が小さくなり、薄肉部２２と非薄肉部２３との間で有意差が無くなる。このため、薄肉部２２は、非薄肉部２３より先に折れ易くはならず、内容器２０の収縮変形の起点となり難いため、内容器２０が規則的に収縮し難くなる。
【００４１】
このようなことから、多重容器１では、薄肉部２２の幅Ｗａの合計値Ｘが胴部５の周長Ｃの４％以上２５％以下となるように薄肉部２２の幅寸法が決定され、薄肉部２２の最小厚さＴａが非薄肉部２３の厚さＴｂの３０％以上７０％以下となるように、薄肉部２２の厚さ寸法が決定される。それにより、多重容器１では、内容器２０の規則的な収縮とガスバリア性の確保とを両立させることができる。
【００４２】
［多重容器用プリフォームの構成］
図４は、図１に示された多重容器１を製造するためのプリフォーム１００及び２００の縦断面を模式的に示す図である。図５は、図４に示されたＶ−Ｖ線を含む平面で切断されたプリフォーム１００及び２００の横断面を模式的に示す図である。
【００４３】
多重容器１は、射出成形等によって有底筒状に成形されたプリフォーム１００及び２００を、二軸延伸ブロー成形することにより製造される。図４に示されるように、プリフォーム１００及び２００は、多重容器１の口部３に相当し、二軸延伸ブロー成形によって延伸されない部分である非延伸部Ｍと、多重容器１の肩部４、胴部５及び底部６に相当し、二軸延伸ブロー成形によって延伸される部分である延伸部Ｎとから構成される。プリフォーム１００は外容器１０に対応するプリフォームであり、プリフォーム２００は内容器２０に対応するプリフォームである。
【００４４】
本実施形態では、外容器１０に対応するプリフォーム１００を、「外プリフォーム１００」とも称し、内容器２０に対応するプリフォーム２００を、「内プリフォーム２００」とも称する。外プリフォーム１００及び内プリフォーム２００は、多重容器１を二軸延伸ブロー成形により製造するための多重容器用プリフォームである。
【００４５】
外プリフォーム１００は、外容器１０の口部３に相当する部分に対して、外気導入孔１１及びサポートリングが設けられると共に、キャップの被装着部が設けられる。
【００４６】
内プリフォーム２００は、内容器２０の口部３に相当する口部２０３と、径方向内方に狭まりながら口部２０３から下方へ延びる傾斜部２０４と、傾斜部２０４から軸方向に沿って下方に延びる直胴部２０５と、直胴部２０５から下方に延びて直胴部２０５を閉じる底部２０６とを備える。傾斜部２０４は、口部２０３に連なる上側傾斜部２０４ａと、直胴部２０５に連なる下側傾斜部２０４ｂとを含む。
【００４７】
内プリフォーム２００では、口部２０３が内容器２０の口部３に相当し、上側傾斜部２０４ａが内容器２０の肩部４に相当し、下側傾斜部２０４ｂ及び直胴部２０５が内容器２０の胴部５に相当し、底部２０６が内容器２０の底部６に相当する。
【００４８】
内プリフォーム２００の直胴部２０５には、図５に示されるように、内容器２０の胴部５に薄肉部２２が設けられるよう、薄肉部２２に相当する薄肉部２２０が設けられる。薄肉部２２０は、その肉厚が、非薄肉部２３０よりも薄い部分である。非薄肉部２３０は、内プリフォーム２００の直胴部２０５において、薄肉部２２０が設けられていない他の部分であり、内容器２０の非薄肉部２３に相当する。
【００４９】
薄肉部２２０は、周方向に幅を有して軸方向に延びるように設けられる。具体的には、薄肉部２２０は、直胴部２０５において、周方向に幅を有し、軸方向に沿って延びる溝状に形成される。薄肉部２２０は、周方向に亘って間隔を空けて複数箇所に設けられる。すなわち、薄肉部２２０及び非薄肉部２３０は、周方向において交互に配置される。薄肉部２２０は、例えば、２〜１０箇所に設けられる。好適には、薄肉部２２０は、４〜６箇所に設けられる。複数の薄肉部２２０は、それぞれの中心軸Ｚまでの距離が略同一となるように設けられると好適である。複数の薄肉部２２０は、横断面において、中心軸Ｚを対称中心として点対称となるように設けられると好適である。
【００５０】
薄肉部２２０は、内プリフォーム２００の直胴部２０５の内面を径方向外方に窪ませた凹形状、又は、内プリフォーム２００の直胴部２０５の外面を径方向内方に窪ませた凹形状に形成される。好適には、薄肉部２２０は、内プリフォーム２００の射出成形時の成形性、及び、二軸延伸ブロー成形時の成形性の観点から、内プリフォーム２００の直胴部２０５の内面を径方向外方に窪ませた凹形状に形成される。
【００５１】
内プリフォーム２００における１つの薄肉部２２０の幅をＷａ’とし、１つの薄肉部２２０の幅Ｗａ’を周方向に亘って合計した値をＸ’とし、内プリフォーム２００の直胴部２０５の内面の周長をＣ’とする。Ｘ’は、周方向に亘って直胴部２０５の複数箇所に設けられた全ての薄肉部２２０の幅Ｗａ’の合計値である。この場合、内プリフォーム２００では、全ての薄肉部２２０の幅Ｗａ’の合計値Ｘ’が、直胴部２０５の周長Ｃ’の４％以上２５％以下となるように、薄肉部２２０の幅寸法が決定される。好適には、内プリフォーム２００では、１つの薄肉部２２０の幅Ｗａ’が、直胴部２０５の周長Ｃ’の１％以上６％以下となるように、薄肉部２２０の幅寸法が決定される。１つの薄肉部２２０の幅Ｗａ’は、内容器２０の規則的な収縮及びガスバリア性の確保の観点から、０．５ｍｍ以上２．５ｍｍ以下であると好適である。
【００５２】
内プリフォーム２００の直胴部２０５の横断面において、薄肉部２２０の最小厚さをＴａ’とし、非薄肉部２３０の厚さをＴｂ’とする。この場合、内プリフォーム２００では、薄肉部２２０の最小厚さＴａ’が、非薄肉部２３０の厚さＴｂ’の３０％以上７０％以下となるように、薄肉部２２０の厚さ寸法が決定される。薄肉部２２０の最小厚さＴａ’は、内容器２０のガスバリア性の確保、内プリフォーム２００の射出成形時の成形性、及び、内プリフォーム２００の二軸延伸ブロー成形時の成形性の観点から、５００μｍ以上であると好適である。
【００５３】
更に、薄肉部２２０の軸方向長さは、内容器２０の規則的な収縮の観点から、内プリフォーム２００の延伸部Ｎの軸方向長さの３０％以上、特に５０％以上であると好適である。内プリフォーム２００の延伸部Ｎの軸方向長さは、内プリフォーム２００の傾斜部２０４、直胴部２０５及び底部２０６の軸方向長さである。薄肉部２２０の軸方向位置は、直胴部２０５の軸方向位置の中でも底部２０６に近い位置であると好適である。内容器２０の底部６が浮き上がって内容器２０が不規則に収縮することを抑制するためである。
【００５４】
内プリフォーム２００の薄肉部２２０の幅寸法及び厚さ寸法が、このように決定されることにより、二軸延伸ブロー成形後の内容器２０では、薄肉部２２の幅Ｗａの合計値Ｘが内容器２０の胴部５の周長Ｃの４％以上２５％以下となり、薄肉部２２の最小厚さＴａが非薄肉部２３の厚さＴｂの３０％以上７０％以下となる。
【００５５】
［多重容器の製造方法］
図４に示されるように、外プリフォーム１００及び内プリフォーム２００は、外プリフォーム１００の中に内プリフォーム２００を挿入し、両者を重ねた状態で同時に二軸ブロー成形することによって、多重容器１に成形される。この多重容器１の二軸延伸ブロー成形方法は、スタックプリフォーム法とも称される。
【００５６】
スタックプリフォーム法では、互いを重ねた状態で外プリフォーム１００及び内プリフォーム２００を、加熱されたブロー金型内に設置する。そして、スタックプリフォーム法では、内プリフォーム２００の内部を延伸ロッドで軸方向に延伸させると共に、ブローエアを吹き込んで径方向及び周方向に延伸させることによって、ブロー金型に押し付け、ブロー金型に応じた形状の外容器１０及び内容器２０を成形する。
【００５７】
このブロー成形過程において、内プリフォーム２００は、その外面が外プリフォーム１００の内面に密着した状態で、外プリフォーム１００と同時に延伸する。このため、内プリフォーム２００の薄肉部２２０は、その外面が外プリフォーム１００の内面に当接しながら、非薄肉部２３０と共に延伸する。すなわち、スタックプリフォーム法では、外プリフォーム１００の内面で、内プリフォーム２００の薄肉部２２０の延伸を規制することができる。それにより、スタックプリフォーム法では、薄肉部２２０だけが過度に延伸しないため、薄肉部２２０が過度に薄肉化して破断することを抑制することができ、成形不良の発生を抑制することができる。
【００５８】
一方、多重容器の二軸延伸ブロー成形方法には、外プリフォーム１００を延伸させてブロー金型内に外容器１０を成形した後に、この外容器１０の内側において内プリフォーム２００を延伸させるプリフォームインボトル法も存在する。しかしながら、プリフォームインボトル法では、内プリフォーム２００が外プリフォーム１００と同時に延伸しないため、薄肉部２２０の延伸が外プリフォーム１００の内面で規制されない。このため、プリフォームインボトル法は、内プリフォーム２００の薄肉部２２０が過度に延伸してしまい、破断等の成形不良が発生する可能性が有る。よって、プリフォームインボトル法は、上述のような薄肉部２２を備える多重容器１の二軸延伸ブロー成形方法としては適切でない。
【００５９】
［作用効果］
以上のように、多重容器１では、内容器２０の胴部５に対して薄肉部２２が設けられる。薄肉部２２は、周方向に幅Ｗａを有して軸方向に延び、周方向に亘って間隔を空けて複数箇所に設けられる。そして、薄肉部２２の幅Ｗａを周方向に亘って合計した値Ｘは、内容器２０の胴部５の周長Ｃの４％以上２５％以下である。
【００６０】
このため、多重容器１では、内容物の減少に伴って内容器２０が収縮する際、薄肉部２２が収縮変形の起点となり、内容器２０を規則的に収縮させるため、内容器２０の収縮態様を規制することができる。それにより、多重容器１では、内容物の収容量が少なくなった使用終盤段階においても、内容器２０において内容物の流路を確保することができるため、内容物を注出し切れずに残留させてしまうことを抑制することができる。
【００６１】
加えて、多重容器１では、外容器１０と内容器２０との間の空隙Ａに存在する酸素が薄肉部２２を選択的に透過し難くなるため、内容物に対する内容器２０のガスバリア性を確保することができる。それにより、多重容器１では、内容器２０に収容された内容物の鮮度を保持することができる。
【００６２】
このように、多重容器１は、内容器２０の規則的な収縮とガスバリア性の確保とを両立させることができる。その結果、多重容器１は、内容物の残留抑制と鮮度保持とを両立させることができる。
【００６３】
更に、多重容器１では、内容器２０の胴部５の横断面において、薄肉部２２の最小厚さＴａが、非薄肉部２３の厚さＴｂの３０％以上７０％以下である。それにより、多重容器１では、薄肉部２２と非薄肉部２３とに確実に肉厚差を設けることができるため、薄肉部２２が収縮変形の起点となり易く、確実に内容器２０を規則的に収縮させることができる。加えて、多重容器１では、空隙Ａに存在する酸素が薄肉部２２を選択的に透過し難くなり、内容器２０のガスバリア性を確保することができる。よって、多重容器１では、内容器２０の規則的な収縮とガスバリア性の確保とを確実に両立させることができる。その結果、多重容器１は、内容物の残留抑制と鮮度保持とを確実に両立させることができる。
【００６４】
更に、多重容器１では、外容器１０及び内容器２０が、外プリフォーム１００と内プリフォーム２００とを重ねた状態で、これらを同時に二軸延伸ブロー成形することによって製造される。そして、内容器２０の薄肉部２２は、内容器２０の胴部５の内面を窪ませた凹形状に形成される。このため、多重容器１では、内プリフォーム２００の射出成形時の成形性、及び、二軸延伸ブロー成形時の成形性を確保しつつ、内容器２０の規則的な収縮とガスバリア性の確保とを両立させることができる。よって、多重容器１では、内容物の残留抑制と鮮度保持とを安定的に両立させることができる。
【００６５】
更に、多重容器１では、内容器２０の薄肉部２２は、非薄肉部２３の内面同士を接近させるように折れ曲がることによって、内容器２０の収縮態様を規制する。このため、多重容器１では、特別な手段を用いなくても、既存の製造工程において内容器２０の胴部５に肉厚差を設けるだけで、内容器２０の規則的な収縮を実現することができる。よって、多重容器１では、内容器２０の規則的な収縮とガスバリア性の確保とを容易に両立させることができる。その結果、多重容器１は、内容物の残留抑制と鮮度保持とを容易に両立させることができる。
【００６６】
また、プリフォーム１００及び２００では、内プリフォーム２００の直胴部２０５に対して薄肉部２２０が設けられる。薄肉部２２０は、周方向に幅Ｗａ’を有して軸方向に延び、周方向に亘って間隔を空けて複数箇所に設けられる。そして、薄肉部２２０の幅Ｗａ’を周方向に亘って合計した値Ｘ’は、内プリフォーム２００の直胴部２０５の内面の周長Ｃ’の４％以上２５％以下である。
【００６７】
このため、プリフォーム１００及び２００を用いて製造された多重容器１では、薄肉部２２０に対応する薄肉部２２が収縮変形の起点となり、内プリフォーム２００に対応する内容器２０を規則的に収縮させることができる。加えて、プリフォーム１００及び２００を用いて製造された多重容器１では、空隙Ａに存在する酸素が薄肉部２２を選択的に透過し難くなり、内容器２０のガスバリア性を確保することができる。よって、プリフォーム１００及び２００は、内容器２０の規則的な収縮とガスバリア性の確保とを両立させることが可能な多重容器１を提供することができる。その結果、プリフォーム１００及び２００は、内容物の残留抑制と鮮度保持とを両立させることが可能な多重容器１を提供することができる。
【００６８】
更に、プリフォーム１００及び２００では、内プリフォーム２００の直胴部２０５の横断面において、薄肉部２２０の最小厚さＴａ’は、内プリフォーム２００の直胴部２０５における非薄肉部２３０の厚さＴｂ’の３０％以上７０％以下である。それにより、プリフォーム１００及び２００を用いて製造された多重容器１では、内容器２０の規則的な収縮とガスバリア性の確保とを確実に両立させることが可能な多重容器１を提供することができる。その結果、プリフォーム１００及び２００は、内容物の残留抑制と鮮度保持とを両立させることが可能な多重容器１を提供することができる。
【００６９】
更に、プリフォーム１００及び２００は、これらを重ねた状態で同時に二軸延伸ブロー成形される。そして、薄肉部２２０は、内プリフォーム２００の直胴部２０５の内面を窪ませた凹形状に形成される。それにより、プリフォーム１００及び２００は、内プリフォーム２００の射出成形時の成形性、及び、二軸延伸ブロー成形時の成形性を確保することができる。加えて、プリフォーム１００及び２００は、内容器２０の規則的な収縮とガスバリア性の確保とを両立させることが可能な多重容器１を提供することができる。よって、プリフォーム１００及び２００は、内容物の残留抑制と鮮度保持とを安定的に両立させることが可能な多重容器１を提供することができる。
【００７０】
［他の実施形態］
上述の実施形態において、内プリフォーム２００の薄肉部２２０は、直胴部２０５だけでなく、下側傾斜部２０４ｂにも設けられてよい。それにより、内容器２０の薄肉部２２は、内容器２０の胴部５の軸方向全体に設けられるため、内容器２０を確実に規則的に収縮させることができる。更に、内プリフォーム２００の薄肉部２２０は、直胴部２０５及び下側傾斜部２０４ｂだけでなく、上側傾斜部２０４ａにも設けられてよい。それにより、内容器２０の薄肉部２２は、内容器２０の胴部５だけでなく肩部４にも設けられるため、内容器２０をより確実に規則的に収縮させることができる。
【００７１】
上述の実施形態において、多重容器１は、外容器１０が多重容器１の外郭を構成し、内容器２０が内容物を収容する容器である。しかしながら、多重容器１は、外容器１０が多重容器１の外郭を構成し、内容器２０が内容物を収容する容器に限定されない。すなわち、多重容器１は、多重容器１の外郭を構成する容器が外容器１０の更に外側に設けられたり、内容物を収容する容器が内容器２０の更に内側に設けられたりしてよい。このように、多重容器１は、外容器１０及び内容器２０が、互いに隣接して剥離可能に積層されると共に、互いの間に空隙Ａを形成する積層体として機能すればよく、当然ながら、複数の空隙Ａを形成可能な三重以上の多重構造を有する容器であってよい。
【００７２】
上述の実施形態では、外容器１０及び内容器２０を備えた多重構造を有する多重容器１並びにそのプリフォーム１００及び２００に対して本発明を適用した場合を例に挙げて説明した。しかしながら、本発明は、ペットボトル等の、多重構造でなく一重構造を有する容器に対しても適用可能である。
【００７３】
具体的には、この容器は、ボトル形状を成し、その胴部に対して、周方向に幅を有して軸方向に延びる薄肉部が、周方向に亘って間隔を空けて複数箇所に設けられる。そして、この容器は、薄肉部の幅を周方向に亘って合計した値が、胴部の周長の４％以上２５％以下となるように構成される。このような構成により、この容器は、廃棄時に嵩張らないよう容器を潰す際、すなわち、容器を収縮変形させる際、薄肉部が容器の収縮変形の起点となるため、容器が規則的に収縮するよう容器の収縮態様に規制することができる。また、この容器は、大気中の酸素が薄肉部を選択的に透過し難くなるため、内容物に対する容器のガスバリア性を確保することができる。よって、この容器は、容器の規則的な収縮とガスバリア性の確保とを両立させることができる。
【００７４】
好適には、この容器は、胴部の横断面において、薄肉部の最小厚さが、胴部における非薄肉部の厚さの３０％以上７０％以下となるように構成される。それにより、この容器は、容器の規則的な収縮とガスバリア性の確保とを確実に両立させることができる。
【００７５】
また、この容器を製造するためのプリフォームは、有底筒状に成形され、二軸延伸ブロー成形されるプリフォームであって、プリフォームの胴部には、周方向に幅を有して軸方向に延びる薄肉部が、周方向に亘って間隔を空けて複数箇所に設けられる。そして、このプリフォームは、薄肉部の幅を周方向に亘って合計した値が、胴部の周長の４％以上２５％以下となるように構成される。このような構成により、このプリフォームは、容器の規則的な収縮とガスバリア性の確保とを両立させることが可能な容器を提供することができる。
【００７６】
好適には、このプリフォームは、胴部の横断面において、薄肉部の最小厚さが、胴部における非薄肉部の厚さの３０％以上７０％以下となるように構成される。それにより、このプリフォームは、容器の規則的な収縮とガスバリア性の確保とを確実に両立させることが可能な容器を提供することができる。
【００７７】
［その他］
上述の実施形態において、多重容器１は、特許請求の範囲に記載された「多重容器」の一例に該当する。外容器１０は、特許請求の範囲に記載された「外容器」の一例に該当する。内容器２０は、特許請求の範囲に記載された「容器」又は「内容器」の一例に該当する。胴部５は、特許請求の範囲に記載された「胴部」の一例に該当する。薄肉部２２は、特許請求の範囲に記載された「薄肉部」の一例に該当する。非薄肉部２３は、特許請求の範囲に記載された「非薄肉部」の一例に該当する。外プリフォーム１００は、特許請求の範囲に記載された「外プリフォーム」の一例に該当する。内プリフォーム２００は、特許請求の範囲に記載された「プリフォーム」又は「内プリフォーム」の一例に該当する。直胴部２０５は、特許請求の範囲に記載された「プリフォーム」の「胴部」又は「内プリフォーム」の「胴部」の一例に該当する。薄肉部２２０は、特許請求の範囲に記載された「プリフォーム」の「薄肉部」又は「内プリフォーム」の「薄肉部」の一例に該当する。非薄肉部２３０は、特許請求の範囲に記載された「プリフォーム」の「非薄肉部」の一例に該当する。
【００７８】
上述の実施形態は、変形例を含めて各実施形態同士で互いの技術を適用することができる。上述の実施形態は、本発明の内容を限定するものではなく、特許請求の範囲を逸脱しない程度に変更を加えることができる。
【００７９】
上述の実施形態及び特許請求の範囲で使用される用語は、限定的でない用語として解釈されるべきである。例えば、「含む」という用語は、「含むものとして記載されたものに限定されない」と解釈されるべきである。「含有する」という用語は、「含有するものとして記載されたものに限定されない」と解釈されるべきである。「備える」という用語は、「備えるものとして記載されたものに限定されない」と解釈されるべきである。「有する」という用語は、「有するものとして記載されたものに限定されない」と解釈されるべきである。
【符号の説明】
【００８０】
１      多重容器
３      口部
４      肩部
５      胴部
６      底部
１０      外容器
１１      外気導入孔
２０      内容器
２１      注出口
２２      薄肉部
２３      非薄肉部
１００      外プリフォーム
２００      内プリフォーム
２０３      口部
２０４      傾斜部
２０４ａ    上側傾斜部
２０４ｂ    下側傾斜部
２０５      直胴部
２０６      底部
２２０      薄肉部
２３０      非薄肉部
Ａ      空隙
Ｃ      内容器の胴部の周長
Ｃ’    内プリフォームの直胴部の内面の周長
Ｍ      非延伸部
Ｎ      延伸部
Ｓ      収容空間
Ｔａ    内容器の薄肉部の最小厚さ
Ｔｂ    内容器の非薄肉部の厚さ
Ｔａ’  内プリフォームの薄肉部の最小厚さ
Ｔｂ’  内プリフォームの非薄肉部の厚さ
Ｗａ    内容器の薄肉部の幅
Ｗａ’  内プリフォームの薄肉部の幅
Ｚ      中心軸
【図１】
2020179910.tif 000003
【図２】
2020179910.tif 000004
【図３】
2020179910.tif 000005
【図４】
2020179910.tif 000006
【図５】
2020179910.tif 000007